(57)【要約】【課題】規格の異なる収納ボックスでも収納することのできる収納ラックを提供することを目的とする。【解決手段】収納部を、上下端を左右梁及び前後梁で夫々結合された一対の前部フレーム８と一対の後部フレームとで構成し、断面矩形状に形成された前記前部フレーム８の前面中央に上下方向に摺動溝８ａを開口するとともに同前部フレーム８の中央部前面側に逃げ溝１５ａを上下方向に穿設した押さえ板１５を設け、前記摺動溝８ａにナット１６を上下摺動自在に支持する。更に異なる規格を両側に表示した規格プレート１７を前記前部フレーム８の前面に取付ける。【選択図】  図４
2004179596.tif 000002
【特許請求の範囲】
【請求項１】
上下端を左右梁及び前後梁で夫々結合された一対の前部フレームと一対の後部フレームとで収納部を構成するとともに、前記前部フレームと前記後部フレームとの間に載置フレームを左右一対に、また上下方向に複数架設し、前面が開放された箱体と両側端縁にネジが挿通する切欠きを上下一対に形成し、前記箱体の開放された前面に装着される前面パネルとで収納ボックスを構成し、同収納ボックスを前記載置フレームに前面側から載置するとともに後方に摺動させ、前記前面パネルの切欠きにネジを挿通させ前記前部フレームに螺合させることにより前記収納ボックスを複数上下方向に収納してなる収納ラックにおいて、
前記前部フレームの前面中央に上下方向に摺動溝を設けるとともに、同摺動溝にナットを上下摺動自在に支持することにより、前記切欠きの寸法ピッチが相違し規格の異なる収納ボックスを前記収納部に多段に収納できるようにしてなることを特徴とする収納ラック。
【請求項２】
前記摺動溝が、断面矩形状に形成された前記前部フレームの前面を上下に切欠いて形成されてなることを特徴とする請求項１に記載の収納ラック。
【請求項３】
前記摺動溝の後方に、逃げ溝を上下方向に穿設した押さえ板を設けてなることを特徴とする請求項２に記載の収納ラック。
【請求項４】
前記摺動溝が、前部フレームの前面をコ字状に内側に折曲させて形成されてなることを特徴とする請求項１に記載の収納ラック。
【請求項５】
前記摺動溝の両側面に、滑り止用のシートを貼着してなることを特徴とする請求項４に記載の収納ラック。
【請求項６】
前記前部フレームの前面に、中央部に固定ネジが挿通する長孔を上下方向に形成し、同長孔の両側に異なる規格の寸法ピッチを刻印した表示部を設けた規格プレートを取付けてなることを特徴とする請求項１に記載の収納ラック。
【発明の詳細な説明】
【０００１】
【発明の属する技術分野】
本発明は、収納ボックスを用いて電源装置、パソコン及び測定器等の電子機器を上下方向に順次収納する収納ラックに関わり、より詳細には異なる規格の収納ボックスでも収納できるようにした構成に関する。
【０００２】
【従来の技術】
電源装置及びパソコン等の電子機器を上下方向に順次収納する収納ラックは、例えば図６（Ａ）で示すように、上下端を夫々結合され立設された４本のフレームで収納部２５を構成し、同収納部２５の前後のフレーム間に後述する収納ボックス１２を前面方向から摺動させ載置固定させる載置フレームを上下方向に複数架設している。前記収納ボックス１２は前面が開放された箱体１３と、把手を両側に備え両側端縁にネジが挿通する切欠き１４ａを上下一対に設け、前記箱体１３の前面に装着される前面パネル１４とから構成されている。
【０００３】
前記収納部の前面側のフレーム２６には、前記前面パネル１４の両側端縁に形成された上下の切欠き１４ａ間の寸法ピッチＡに対応して、これと同一となる寸法ピッチＢでネジ孔２６ａが上下方向に複数穿設されている。電源装置、パソコン等の電子機器は前記箱体１３内に収納され前記前面パネル１４が装着されると、前記収納部の前記載置フレームに載置され、ネジ３０が前記切欠き１４ａを介して前記ネジ孔２６ａに螺合されると前記収納部２５に固定されるようになっている。しかしながら、前記収納ボックス１２は汎用性をもたせるため前記寸法ピッチＡにおいて規格が定められており、また規格が国内あるいは海外で異なる場合があり、前記フレーム２６に穿設されたネジ孔２６ａの寸法ピッチをある規格にあわせると他の規格に従って製作された収納ボックスは前記収納部２５に固定することができなくなるという問題点を有していた。
【０００４】
上記問題点を解決する収納ラックとして、例えば特開平８−１９９７２号に開示されている例がある。図６（Ｂ）で示すように、立設された４本のフレーム３２によりキャビネットラック３０を形成し、同キャビネットラック３０にラックマウント金具３３を用いて棚板３１を収納する。同ラックマウント金具３３は前記棚板３１の両側面に突設された段付ボス３１ｂが係合するスライド孔３３ｃを長手方向に穿設し、後方に外方に向かい折曲され複数の取付溝３３ｂを形成した取付面３３ａを設けている。前記取付溝３３ｂは異なる規格に対応できるピッチで形成されており、これにより他の規格によって製作された棚板が収納できないという問題に対応している。しかしながら別部材として同ラックマウント金具３３を必要とする。（特許文献１参照）
【０００５】
【特許文献１】
特開平８−１９９７２号
【０００６】
【発明が解決しようとする課題】
本発明は上記問題点に鑑み、別部材を設けずに、異なる規格で製作された収納ボックスでも収納及び固定することができる収納ラックを提供することを目的とする。
【０００７】
【課題を解決するための手段】
本発明は上記課題を解決するため、上下端を左右梁及び前後梁で夫々結合された一対の前部フレームと一対の後部フレームとで収納部を構成するとともに、前記前部フレームと前記後部フレームとの間に載置フレームを左右一対に、また上下方向に複数架設し、前面が開放された箱体と両側端縁にネジが挿通する切欠きを上下一対に形成し、前記箱体の開放された前面に装着される前面パネルとで収納ボックスを構成し、同収納ボックスを前記載置フレームに前面側から載置するとともに後方に摺動させ、前記前面パネルの切欠きにネジを挿通させ前記前部フレームに螺合させることにより前記収納ボックスを複数上下方向に収納してなる収納ラックにおいて、
前記前部フレームの前面中央に上下方向に摺動溝を設けるとともに、同摺動溝にナットを上下摺動自在に支持することにより、前記切欠きの寸法ピッチが相違し規格の異なる収納ボックスを前記収納部に多段に収納できるようにしてなる構成となっている。
【０００８】
また、前記摺動溝が、断面矩形状に形成された前記前部フレームの前面を上下に切欠いて形成されてなる構成となっている。
【０００９】
また、前記摺動溝の後方に、逃げ溝を上下方向に穿設した押さえ板を設けてなる構成となっている。
【００１０】
また、前記摺動溝が、前部フレームの前面をコ字状に内側に折曲させて形成されてなる構成となっている。
【００１１】
また、前記摺動溝の両側面に、滑り止用のシートを貼着してなる構成となっている。
【００１２】
また、前記前部フレームの前面に、中央部に固定ネジが挿通する長孔を上下方向に形成し、同長孔の両側に異なる規格の寸法ピッチを刻印した表示部を設けた規格プレートを取付けてなる構成となっている。
【００１３】
【発明の実施の形態】
以下、本発明の実施の形態を、添付図面に基づいた実施例として詳細に説明する。
図１は本発明による収納ラックを示す分解斜視図であり、図２は収納ボックスが収納された状態を示す斜視図であり、図３は収納ボックスの分解斜視図である。また図４及び図５はフレームの構造を示す斜視図である。
本発明による収納ラックは図１で示すように、上下端を梁により夫々結合されて立設された４本のフレームで収納部１を構成している。同収納部１はベース２上に載置されるとともに上面にトッププレート３をネジ３０により螺着するようになっている。また、両側にはサイドプレート５及び６が、背面にはリアプレート７が取付けられ、前面には、前面フレーム８に固着された複数のヒンジ９により開閉扉４が取付けられるようになっている。
【００１４】
前記収納部１は、上記したように上下端を左右梁及び前後梁で夫々結合された一対の前部フレーム８と一対の後部フレーム１０とで構成され、図２で示すように、前記前部フレーム８と前記後部フレーム１０との間に、収納ボックス１２を載置する載置フレーム１１を左右一対に、また上下方向に複数架設している。前記収納ボックス１２は図３で示すように、底板１３ａと上面板１３ｂと側板１３ｃと背面板１３ｄとにより形成される前面が開放された箱体１３と、両側に把手１４ｂを備えるとともに両側端縁にネジが挿通する切欠き１４ａを上下一対に形成し、前記箱体１３の開放された前面に螺着される前面パネル１４とで構成されている。
【００１５】
前記箱体１３内に電源装置あるいはパソコン等の機器が収納されると前記前面パネル１４が前記箱体１３に螺着され、続いて図２で示すように、収納ボックス１２は前記収納部１の前面側から前面載置フレーム１１上を摺動して所定位置に載置されるようになっている。前記前面パネル１４の両端部が前記前部フレーム８に当接すると、ネジ３０が前記前面パネルの切欠き１４ａに挿入され続いて前記前部フレーム８に螺合し前記収納ボックス１２を固定するようになっている。
【００１６】
収納部の前記前部フレーム８は、図４で示すように、前面中央に摺動溝８ａを開口するとともに前面両側にネジ孔８ｂを穿設した断面矩形状に形成され、中央部前面側に逃げ溝１５ａを上下方向に穿設した押さえ板１５を設けている。前記摺動溝８ａには、落下しないように背面側を前記押さえ板１５に支持されるナット１６が上下摺動自在に挿入され、後述する規格プレート１７により前面側を支持されるようになっている。
【００１７】
規格プレート１７は中央部に固定ネジ１８が挿通する長孔１７ａを上下方向に形成し、両側端部にも小径ネジ１９が挿通するネジ挿通孔１７ｂを穿設している。また、前記長孔１７ａの右側にはＪＩＳ規格に定められた孔寸法ピッチが刻印された表示部１７ｃが設けられ、左側にはＥＩＡ規格に定められた孔寸法ピッチが夫々刻印された表示部１７ｃが設けられている。前記ネジ挿通孔１７ｂに小径ネジ１９が挿通され前記ネジ孔８ｂに螺合されることにより前記規格プレート１７は前記前部フレーム８に取付けられるようになっている。
【００１８】
次に、前記収納ボックス１２の収納手順について説明する。まず、前記収納ボックス１２に適用された規格に合わせ前記規格プレート１７に表示された孔寸法ピッチに従って、前記摺動溝８ａに摺動自在に支持されたナット１６を上下に摺動させ位置を合わせる。次に、前記収納ボックス１２を前記収納部１の前面側から前面載置フレーム１１上に載置し奥方向に摺動させ、前記前面パネル１４の両端部が前記前部フレーム８に当接したら前記切欠き１４ａに前記固定ネジ１８を挿通させるとともに、前記ナット１６に螺合させ前記収納ボックス１２を前記収納部１に固定する。これにより規格の異なる収納ボックスを前記収納部１に多段に収納できるようになっており、所謂収納性を向上させることができるようになっている。
【００１９】
次に、他の実施例について説明する。他の実施例は図５で示すように、前部フレーム２０の前面をコ字状に内側に折曲させ摺動溝２０ａを形成する一方、同摺動溝２０ａの両側面に滑止め用シート２１を貼着している。他は上記した実施例と同等である。前記滑止め用シート２１を貼着して前記ナット１６を挟持することにより同ナット１６の前記摺動溝２０ａ内での保持性を向上させるようになっっている。
【００２０】
【発明の効果】
以上説明したように、本発明によると、収納部を構成する断面矩形状に形成された前部フレームの前面中央に上下方向に摺動溝を開口するとともに同前部フレームの中央部前面側に逃げ溝を上下方向に穿設した押さえ板を設け、前記摺動溝にナットを上下摺動自在に支持することにより、規格の異なる収納ボックスを前記収納部に多段に収納できるようになっており、別部材を設けることなく所謂収納性を向上させた収納ラックとすることができる。
【図面の簡単な説明】
【図１】本発明による収納ラックを示す分解斜視図である。
【図２】収納部に収納ボックスを取付ける状態を示す斜視図である。
【図３】収納ボックスの分解斜視図である。
【図４】前部フレームを示す分解斜視図である。
【図５】他の実施例を示す分解斜視図である。
【図６】従来例の収納ラックを示す要部斜視図である。
【符号の説明】
１  収納部
２  ベース
３  トッププレート
３ａ  ネジ孔
４  開閉扉
５  サイドプレート
６  サイドプレート
７  リアプレート
８  前部フレーム
８ａ  摺動溝
８ｂ  ネジ孔
９  ヒンジ
１０  後部フレーム
１１  載置フレーム
１２  収納ボックス
１３  箱体
１３ａ  底板
１３ｂ  上面板
１３ｃ  側板
１３ｄ  背面板
１４  前面パネル
１４ａ  切欠き
１４ｂ  把手
１５  押さえ板
１５ａ  逃げ溝
１６  ナット
１７  規格プレート
１７ｂ  ネジ孔
１７ｃ  表示部
１８  固定ネジ
１９  小型ネジ
２０  前部フレーム
２０ａ  摺動溝
２０ｂ  逃げ溝
２０ｃ  ネジ孔
２１  滑り止用シート
【図１】
2004179596.tif 000003
【図２】
2004179596.tif 000004
【図３】
2004179596.tif 000005
【図４】
2004179596.tif 000006
【図５】
2004179596.tif 000007
【図６】
2004179596.tif 000008